(57)【特許請求の範囲】
【請求項１】
エアフィルタのろ材の外周を気密に保持するフィルタ枠をチャンバーに設けたエアフィルタ取付枠に気密性を確保しながら固定するためのエアフィルタ取付構造であって、該フィルタ枠の下端部を受ける受部と、該受部の上方に位置する固定部を備え、該受部と該固定部とをボルトとナットからなる間隔調整部材を介して連結するようにするとともに、該受部は上板と、この上板より長目の下板と、これらを連結する連結板とから断面略コ字状に形成され、該上板に該ボルトの側面を支持するための貫通孔を備え、該下板の先端側で該フィルタ枠の下端部を受けるようにするとともに、該下板の連結板側に該ボルトを挿通する挿通穴を備えるようにしたものにおいて、前記ボルトにバネを嵌め込み、このバネの弾発力で該受部を該ナットに押しつけるようにしたことを特徴とするエアフィルタ取付構造
【請求項２】
前記固定部は、水平板の一端に上方に屹立させた屹立片を備えるとともに、他端側に下方に垂下させた垂下片を備えたクランク状に構成され、該屹立片の先端部を該エアフィルタ取付枠に当接させ、該垂下片を該チャンバーに固定できるようにするとともに、該水平板に該ボルトの挿通穴を備えるようにしたことを特徴とする請求項１記載のエアフィルタ取付構造。
【発明の詳細な説明】
【技術分野】
【０００１】
本発明は、エアフィルタをエアフィルタ装置に固定するためのエアフィルタ取付構造に関する。
【背景技術】
【０００２】
特許文献１に開示の従来のエアフィルタ装置のエアフィルタ取付構造は、図６に示すように、エアフィルタ６０のろ材６１の外周を気密に保持するフィルタ枠６２をチャンバー７０に設けたエアフィルタ取付枠７１に気密性を確保しながら固定するために、エアフィルタ６０のフィルタ枠６２をシール材７２を介して、チャンバー７０内に設けられたエアフィルタ取付枠７１に当接させ、その状態で、エアフィルタ６０のフィルタ枠６２の下端部に対して、ノブボルト７３を締め付けて、エアフィルタ６０のフィルタ枠６１をエアフィルタ取付枠７１に気密性を確保しながら固定するようにしている。尚、ノブボルト７３の先端側にはノブボルト受部７４が設けられ、前記ノブボルト７３はチャンバー７０内に設けられた雌ねじを切られた固定金具７５によって締め付け自在に支持されている。
しかしながら、特許文献１に開示されたエアフィルタの取付構造では、ノブボルト７３を利用して締め付けているため、ノブボルト７３の長さの分だけ厚み方向に必要な空間が生じ、チャンバー７０等の筐体が厚くなるという問題があった。
また、該取付構造はノブボルト７３を支持する固定金具７５がチャンバー７０に固定され、かつこの固定金具７５が可動式でないため、エアフィルタ６０を外す際には、そのままでは該エアフィルタ６０を真下に下ろすことが難しいものであった。
また、該取付構造に係るノブボルト７３は人の力で締め付けているため、締め付けが十分でなく、シール材７２がつぶれずにフィルタ枠６２の隙間から汚れた空気が漏れるという問題もあった。
【特許文献１】特開２００７−８３１０７号公報
【発明の開示】
【発明が解決しようとする課題】
【０００３】
そこで、本発明は上記問題点を解決するために、フィルタのフィルタ枠とエアフィルタ取付枠との間の気密性を確保するとともに、フィルタのエアフィルタ取付枠への取り付け及び取り外しを簡便に行うことを可能にしたエアフィルタ取付構造を提供することを目的とする。
【課題を解決するための手段】
【０００４】
上記目的を達成するために、本発明のエアフィルタ取付構造は、請求項１記載の通り、エアフィルタのろ材の外周を気密に保持するフィルタ枠をチャンバーに設けたエアフィルタ取付枠に気密性を確保しながら固定するためのエアフィルタ取付構造であって、該フィルタ枠の下端部を受ける受部と、該受部の上方に位置する固定部を備え、該受部と該固定部とをボルトとナットからなる間隔調整部材を介して連結するようにするとともに、該受部は上板と、この上板より長目の下板と、これらを連結する連結板とから断面略コ字状に形成され、該上板に該ボルトの側面を支持するための貫通孔を備え、該下板の先端側で該フィルタ枠の下端部を受けるようにするとともに、該下板の連結板側に該ボルトを挿通する挿通穴を備えるようにしたものにおいて、前記ボルトにバネを嵌め込み、このバネの弾発力で該受部を該ナットに押しつけるようにしたことを特徴とする。
また、請求項２記載のエアフィルタ取付構造は、請求項１記載のエアフィルタ取付構造において、前記固定部は、水平板の一端に上方に屹立させた屹立片を備えるとともに、他端側に下方に垂下させた垂下片を備えたクランク状に構成され、該屹立片の先端部を該エアフィルタ取付枠に当接させ、該垂下片を該チャンバーに固定できるようにするとともに、該水平板に該ボルトの挿通穴を備えるようにしたことを特徴とする。
【発明の効果】
【０００５】
本発明によると、エアフィルタ取付構造の受部がエアフィルタ枠の下端部を受け、該受部の上方に固定部を備え、該受部と該固定部とを間隔調整部材を介して連結する構造であるため、高さ方向に取付構造に伴う空間が生じることなく、チャンバー等の筐体の厚みを薄くすることできる。また、該受部と該固定部とをボルトとナットからなる間隔調整部材を介して連結するようにするとともに、該受部は上板と、この上板より長目の下板と、これらを連結する連結板とから断面略コ字状に形成され、該上板に該ボルトの側面を支持するための貫通孔を備え、該下板の先端側で該フィルタ枠の下端部を受けるようにするとともに、該下板の連結板側に該ボルトを挿通する挿通穴を備えるようにして該受部を回動式とした場合、エアフィルタの取り付けが容易で、しかも、エアフィルタを外す際に、該受部を回動させてエアフィルタを真下に下ろすことができる。また、該エアフィルタ取付構造はレンチなどの工具が使用可能なナットによる締め付けが可能となり、フィルタ枠の隙間から汚れた空気がもれることがない程度に十分に締め付けることができる。また、前記ボルトにバネを嵌め込み、このバネの弾発力で該受部を該ナットに押しつけるようにした
ため、前記ナットを締め付ける際に、前記受部がそれに追随して動かないようにできる。
【発明を実施するための最良の形態】
【０００６】
以下、図１乃至図５を参照して本発明のエアフィルタ取付構造及びエアフィルタ取付方法の実施の形態について説明する。
図１は、本発明に係るエアフィルタ取付構造の一参考例を示すもので、エアフィルタ１０のろ材１１の外周を気密に保持するフィルタ枠１２をチャンバー２０に設けたエアフィルタ取付枠２１に気密性を確保しながらシール材２２を介して固定するために、フィルタ枠１２の下端部を受ける受部３０と、該受部３０の上方に位置する固定部４０を備え、該受部３０と該固定部４０とを間隔調整部材５０を介して連結するようにしてある。
【０００７】
尚、前記受部３０は、前記エアフィルタ１０を取付位置に対して水平方向に回転させた際に、該エアフィルタ１０の取り付けを妨害しない隅部に配置するようした。図示のものでは、４個の受部３０をチャンバー２０の四隅に対角線の対象位置に対向配置するようにした。
前記間隔調整部材５０はボルト５１とナット５２からなるもので、前記受部３０には、前記ボルト５１を挿通するための挿通穴３０ａが備えられ、該ボルト５１を回転軸として回動自在となっている。
【０００８】
前記受部３０は、詳細には、上板３１と、この上板３１より長目の下板３２と、これらを連結する連結板３３とから断面略コ字状に一体に形成され、前記上板３１に前記ボルト５１の側面を支持するための半円形状の切り欠きを３１ａ備え、前記下板３２の先端側で前記フィルタ枠１２の下端部を受けるようにするとともに、前記下板３２の連結板３３側に前記ボルト５１を挿通するための前記挿通穴３０ａを備えるようにした。
【０００９】
また、前記固定部４０は、水平板４１の一端に上方に屹立させた屹立片４２を備えるとともに、他端側に下方に垂下させた垂下片４３を備えたクランク状に構成され、屹立片４２の先端部を前記エアフィルタ取付枠２１に当接させ、垂下片４３を前記チャンバー２０に固定するとともに、前記水平板４１に前記ボルト５１の挿通穴４１ａを備えるようにした。
【００１０】
本参考例では、前記間隔調整部材５０のボルト５１を前記水平板４１に溶接によって固定するとともに、ボルト５１の先端を前記固定部４０の水平板４１のボルト挿通穴４１ａと、受部３０の下板３２の挿通穴３０ａを挿通させて、このボルト５１を前記ナット５２で締め付け自在としたが、前記ナット５２の方を前記水平板４１に溶接によって固定するとともに、ボルト５１の先端を前記受部３０の下板３２の挿通穴３０ａと固定部４０の水平板４１の挿通穴４１ａに挿通させて、このボルト５１の方を前記ナット５２に対して締め付け自在としてもよい。
【００１１】
尚、前記受部３０と、前チャンバー２０に固定された固定部４０の垂下片４３の間の空間には、該垂下片４３に貼着したクッション部材２３を介在させ、前記ナット５２、或いは、前記ボルト５１を締め付ける際に、前記受部３０がそれに追随して動かないようにした。前記クッション部材２３は、該垂下片４３に限らず、該受部３０の連結板３３に貼着してもよい。
【００１２】
図２は、図１の参考例の変形例を示すもので、間隔調整部材５０のボルト５１として長めのものを用い、エアフィルタ取付枠２１に直接溶接によって固定するようにしたものである。尚、前記受部３０とチャンバー２０の間の空間には、該チャンバー２０に貼着したクッション部材２３を介在させ、前記ナット５２、或いは、前記ボルト５１を締め付ける際に、前記受部３０がそれに追随して動かないようにした。前記クッション部材２３は、該チャンバーに限らず、該受部３０の連結板３３に貼着してもよい。その他の構成は、前記参考例のものと特に変わりはないので、同一の構成部材には同一の符号を付してその説明は省略した。
【００１３】
図３は本発明に係るエアフィルタ取付構造の一実施の形態を示すもので、図１の参考例の前記クッション材２３に代え、前記ボルト５１にバネ５３を嵌め込み、このバネ５３の弾発力で受部３０をナット５２に押しつけるようにして、ナット５２を締め付ける際に、前記受部３０がそれに追随して動かないようにした。
【００１４】
次に、前記参考例及び実施の形態におけるエアフィルタ取付構造に関する取付方法について説明する。
図４は取付の一例を示すもので、先ず、図４（ｂ）に示すように、エアフィルタ１０を取付位置に対して水平方向に回転させて前記受部３０の上方へ運び、次いで、図４（ｃ）に示すように、エアフィルタ１０を取付位置に戻しながら該受部３０に仮置きし、最後に前記間隔調整部材５０のナット５２の締め付けによる調整によって前記エアフィルタ１０のフィルタ枠１２をチャンバー２０に設けたエアフィルタ取付枠２１に気密性を確保しながら固定する。
【００１５】
図５は、取付の他の例を示すもので、図５（ｂ）に示すように、受部３０を前記エアフィルタ１０の取付位置への取付を妨害しない位置に回転させてから該エアフィルタ１０を該受部３０の上方に運び、次いで、図５（ｃ）に示すように該受部３０を取付位置に回動させて、該エアフィルタ１０を該受部３０に仮置きし、最後に前記間隔調整部材５０のナット５２の締め付けによる調整によって前記エアフィルタ１０のフィルタ枠１１をチャンバー２０に設けたエアフィルタ取付枠２１に気密性を確保しながら固定する。
このように、本発明によれば、エアフィルタのフィルタ枠とエアフィルタ取付枠との間の気密性を確保するとともに、該フィルタの該エアフィルタ取付枠への取り付け及び取り外しを簡便に行うことが可能となる。
【図面の簡単な説明】
【００１６】
【図１】（ａ）本発明に係るエアフィルタ取付構造の一参考例を示す正面図、（ｂ）同Ａ部拡大図
【図２】（ａ）同変形例を示す正面図、（ｂ）同Ｂ部拡大図
【図３】（ａ）本発明に係るエアフィルタ取付構造の一実施の形態を示す正面図、（ｂ）同Ｃ部拡大図
【図４】本発明に係るエアフィルタ取付構造の取付方法を示す説明図
【図５】同他の取付方法を示す説明図
【図６】従来のエアフィルタ取付構造の正面図
【符号の説明】
【００１７】
１０  エアフィルタ
１１  ろ材
１２  フィルタ枠
２０  チャンバー
２１  エアフィルタ取付枠
２２  シール材
２３  クッション部材
３０  受部
３０ａ挿通穴
３１  上板
３１ａ貫通孔（切り欠き）
３２  下板
３３  連結板
４０  固定部
４１  水平板
４１ａ挿通穴
４２  屹立片
４３  垂下片
５０  間隔調整部材
５１  ボルト
５２  ナット
５３  バネ
【図１】
0005049848.tif 000002
【図２】
0005049848.tif 000003
【図３】
0005049848.tif 000004
【図４】
0005049848.tif 000005
【図５】
0005049848.tif 000006
【図６】
0005049848.tif 000007